(57)【要約】【課題】  畜産動物のＩＣタグにデータの書込と読出を行うためにはリーダーライター装置のアンテナを、ＩＣタグに接近させて配置することが必要であるが、動物は勝手に動き回るために安定したデータ送受信に必要な適正な位置関係を確保することが難しく、安定な動作を行わせることが困難であった。又、動物用ＩＣタグリーダーライター装置は、動物の飼育されている環境での使用に適した構成になっていない。【解決手段】  本発明は、棒形状体の先端にアンテナが装着されたアンテナモジュールと、その他端に接続されリーダーコントローラとを具備したＩＣタグリーダーライター装置を実現することにより、動物から離れた位置において動物用ＩＣタグのデータの書込と読取が容易に行えるようにして問題点を解決したものである。【選択図】              図１
2007025780.tif 000002
【特許請求の範囲】
【請求項１】
棒形状体の先端にＩＣタグとの通信を行うアンテナが装着されたアンテナモジュールと、該アンテナモジュールの他端に接続されＩＣタグのデータの読取、書込とその制御を行うリーダーコントローラとを具備し、
ＩＣタグの装着された物体から離れた位置において物体に装着されたＩＣタグのデータの書込と読み取りが容易に行えるようにしたことを特徴とするＩＣタグリーダーライター装置。
【請求項２】
請求項１において、ＩＣタグのデータの読取、書込とその制御を行うリーダーコントローラには、ＩＣタグのデータの読取、書込の状態を示す異なった音色の音を発生するようにしたことを特徴とするＩＣタグリーダーライター装置
【請求項３】
請求項１において、棒形状の物体の先端に設けた動物用ＩＣタグとの通信を行うアンテナ部に鋭角部を設け、動物を追い払い易くしたことを特徴とする動物用ＩＣタグリーダーライター装置。
【請求項４】
請求項１において、棒形状の物体の先端に設けた動物用ＩＣタグとの通信を行うアンテナ部に青色のランプを設け、該青色のランプを点灯することにより、動物を呼び寄せ易くしたことを特徴とする動物用ＩＣタグリーダーライター装置。
【請求項５】
請求項１において、アンテナモジュールとリーダーコントローラとは分離可能の構造にし、アンテナモジュールとリーダーコントローラとの間をケーブルにより接続するように構成して、アンテナモジュールの洗浄、消毒を行い易くしたことを特徴とする動物用ＩＣタグリーダーライター装置。
【請求項６】
請求項１において、動物用ＩＣタグのデータの読取、書込とその制御を行うリーダーコントローラには、ＬＣＤ表示器とテンキーと動物の履歴管理に必要な投薬、移動等のファンクションキーを設けることにより、動物用ＩＣタグのデータの読取、書込の操作を容易にしたことを特徴とする動物用ＩＣタグリーダーライター装置。
【発明の詳細な説明】
【技術分野】
【０００１】
本発明は、ＩＣタグの装着された物体から離れた位置においてＩＣタグのデータの書込と読取が容易に行えるようにしたＩＣタグリーダーライター装置に関するものである。
本発明のＩＣタグリーダーライター装置は、特に牛、豚等の食用動物の履歴管理のために食用動物に装着されたＩＣタグにデータの書込と読出を行う動物用タグのリーダーライター装置として使用するのに適したもので、動物に接触することなく、安定にデータの書込と読出を行なうことを可能にしたものである。
【背景技術】
【０００２】
最近、肉牛のＢＳＥ対策や食肉の生産地偽装表示事件等が頻発し、これらの問題に対処するために、畜産動物の生産、流通履歴を明確にして、より安全で安心できる品質の食肉を供給するための食の安全追求が大きな社会問題になっている。
このような問題に対処するために、畜産動物の生産地、出生日、管理者、給餌、病歴、投薬等の情報を一頭単位で管理する動物用ＩＣタグが開発され使用されている。
動物用ＩＣタグは、ＩＣタグを内蔵した情報記憶素子を畜産動物の耳にピアス状に装着し畜産動物個別の生産、流通に関する履歴等の各種データの書込、読出を行うようにしたものである。
この動物用ＩＣタグへのデータの書込、読出は、一般のＩＣタグと同様に型式指定を必要としない微弱電波が使用されている。
【０００３】
【特許文献１】特開２００３−１１１７３９号公報，
【特許文献２】特開２００３−０９５２７０号公報，
【特許文献３】特開２００３−０５２２６２号公報
【特許文献４】特開２００１−１８４５８４号公報
【特許文献５】特開２００３−８３２４号公報
【発明の開示】
【発明が解決しようとする課題】
【０００４】
通信設備において型式指定を必要としない微弱電波（距離３ｍにおける電界強度が５００μＶ／ｍ以下）は通信距離が短いため、畜産動物に装着されたＩＣタグにデータの書込と読出を行うためにはリーダーライター装置のアンテナを、動物に装着されているＩＣタグに接近させて配置することが必要であるが、動物は勝手に動き回るためにＩＣタグリーダーライター装置とＩＣタグとの間に安定したデータ送受信に必要な適正な位置関係を確保することが難しく、データの書込や読出が出来なくなる事態が発生して安定な動作を行わせることが困難であった。
又、動物用ＩＣタグリーダーライター装置は、これが使用される環境が必ずしも清潔でないため、汚泥や汚物による汚染が激しく定期的に洗浄、消毒を行う必要があるが、従来のＩＣタグリーダーライター装置は洗浄、消毒に適した構成にはなっておらず、動物の飼育されている環境での使用に適した構成になっていない。
このため、動物から離れた位置において動物に装着された動物用ＩＣタグのデータの書込と読取が容易に行え、その操作が簡単で洗浄、消毒を容易に行うことの出来るＩＣタグリーダーライター装置の実現が要望されている。
【課題を解決するための手段】
【０００５】
本発明は、棒形状体の先端にＩＣタグとの通信を行うアンテナが装着されたアンテナモジュールと、アンテナモジュールの他端に接続されＩＣタグのデータの読取、書込とその制御を行うリーダーコントローラとを具備したＩＣタグリーダーライター装置を実現することにより、動物から離れた位置において動物に装着された動物用ＩＣタグのデータの書込と読取が容易に行え、又在庫管理等で高い場所に置かれた物品に付けられたＩＣタグのデータ処理が容易に行えるようにしたものである。
本発明のＩＣタグリーダーライター装置は、リーダーコントローラに、操作中にＩＣタグのデータ処理の状態を示す異なった音色の音を発生するようにして操作を容易にしている。
又、本発明の動物用ＩＣタグリーダーライター装置は、動物用ＩＣタグとの通信を行うアンテナ部に鋭角部を設け、動物を追い払い易くした。
又、本発明の動物用ＩＣタグリーダーライター装置は、動物用ＩＣタグとの通信を行うアンテナ先端部に青色のランプを設け、該青色のランプを点灯することにより、動物を呼び寄せ易くした。
又、本発明の動物用ＩＣタグリーダーライター装置は、アンテナモジュールとリーダーコントローラとは分離した構成とし、アンテナモジュールとリーダーコントローラとの間をケーブルにより接続するように構成して、アンテナモジュールの洗浄、消毒を行い易くした。
又、本発明の動物用ＩＣタグリーダーライター装置は、リーダーコントローラには、ＬＣＤ表示器とテンキーと動物の履歴管理に必要な投薬、移動等のファンクションキーを設けることにより、動物用ＩＣタグのデータの読取の操作が容易になる。
【発明の効果】
【０００６】
本発明のＩＣタグリーダーライター装置は、ＩＣタグの付けられた物品から離れた位置において物品に装着されたＩＣタグのデータの書込と読取が容易に行うことが出来るので、ＩＣタグに近づくことが困難な各種の用途に使用することが出来る。
又、本発明の動物用ＩＣタグリーダーライター装置は、操作が簡単で洗浄、消毒を容易に行うことの出来、簡単な操作で動物に関する各種の情報を入力することが出来るので、出生日、管理者、給餌、病歴、投薬等の情報を一頭単位に個別に、その都度入力することが可能となり、さらに、登録、移動、死亡、出荷等の移動実績もタイムリーに管理することが可能となる。
【発明を実施するための最良の形態】
【０００７】
以下、本発明の  実施形態について説明する。
図１は、本発明のＩＣタグリーダーライター装置の構成を説明するための図である。
図１において、１０はアンテナモジュールで、棒形状の物体により構成されている。
１１はアンテナモジュール１０の先端に装着されたＩＣタグとの通信を行うアンテナである。１６はアンテナモジュール１０を携帯するときに使用する紐である。
アンテナモジュール１０を棒形状の物体により構成したことにより、ＩＣタグの付けられた物体や動物から離れた位置において物品や動物に装着されたＩＣタグのデータの書込と読取が容易に行えるようにしている。
２０は、リーダーコントローラでアンテナモジュール１０の他端に接続されＩＣタグのデータの読取、書込とその制御を行う。
リーダーコントローラ２０は、操作中にＩＣタグのデータの読取、書込の状態を示す異なった音色の音を発生する機能を持っている。
３０はリーダーコントローラ２０の操作の状態を示す異なった音色の音を聞くためのイヤホンである。
４０はアンテナモジュール１０とリーダーコントローラ２０との間を接続する通信ケーブルである。
アンテナモジュール１０とリーダーコントローラ２０とを分離した構成とし、両者の間をケーブル３０により接続するように構成して、アンテナモジュールの洗浄、消毒を行い易くしている。
５０は、リーダーコントローラ２０とイヤホン３０との間をケーブルである。
【０００８】
図２は、図１の動物用ＩＣタグリーダーライター装置のアンテナモジュール１０の具体的な構成を説明するための図で、（ａ）はその上面図、（ｂ）は側面図を示す。
図２において図１と同一の部分には同一の符号をつけてその説明を省略する。
図２において、１２はアンテナ１１に設けられた鋭角部である。
アンテナモジュール１０の先端に装着された動物用ＩＣタグとの通信を行うアンテナ１１に鋭角部１２を設けることにより動物を追い払い易い構成になっている。
１３はアンテナ先端部に設けられた青色のランプで、この青色のランプを点灯することにより、動物を呼び寄せ易くしている。
１４はアンテナモジュール１０の他端に設けられた電源部で、電源スイッチ１５によりアンテナ１１の駆動回路や青色のランプ１３を動作させるための電力を供給を制御している。
【０００９】
図３は図１のＩＣタグリーダーライター装置のリーダーコントローラ２０の具体的な構成を説明するための図で、（ａ）はその上面図、（ｂ）はその底部側面図を示す。
図３において図１と同一の部分には同一の符号をつけてその説明を省略する。
図３において、２１はＬＣＤ表示器、２２はテンキー、２３.２４.２５はファンクションキーである。
ファンクションキー２３，２４，２５は、動物用ＩＣタグの動物の履歴管理に必要な投薬、移動等のデータの読出と書込の作業を容易にするために設けられたものである。
図６に、ファンクションキー２３.２４.２５等のリーダーコントローラ２０キーの機能を説明した一覧表を示す。
２６は、リーダーコントローラ２０の側面に設けられたＲＳ２３２Ｃ通信用接続プラグである。
接続プラグ２６は、リーダーコントローラ２０をＲＳ２３２Ｃ通信ケーブルによりアンテナモジュール１０に接続する機能と、リーダーコントローラ２０をパソコン等のホストコンピュータと接続しデータの交換を行う機能を持っている。
２７は、リーダーコントローラ２０の側面に設けられたイヤホン３０の接続プラグである。
接続プラグ２７は、リーダーコントローラ２０が、ＩＣタグのデータの読取、書込の状態を示す異なった音色の音をイヤホン３０に伝送する。
【００１０】
図４は図１のＩＣタグリーダーライター装置のアンテナモジュール１０とリーダーコントローラ２０との間をケーブルで接続する構成を説明するための図を示す。
図４において図１乃至図３と同一の部分には同一の符号をつけてその説明を省略する。
４１は、通信ケーブル４０の接続プラグである。
リーダーコントローラ２０の側面に設けられているＲＳ２３２Ｃ通信用接続プラグ２６に、アンテナモジュール１０のＲＳ２３２Ｃ通信ケーブル４０の接続プラグ４１に挿入することにより、アンテナモジュール１０とリーダーコントローラ２０がＲＳ２３２Ｃにより接続されるように構成されている。
アンテナモジュール１０は動物の飼育されている環境で使用されるため汚染が激しいが、アンテナモジュール１０とリーダーコントローラ２０との間をケーブル３０により接続するように構成しているために、アンテナモジュール１０の洗浄、消毒を行う場合には、接続プラグ４１をリーダーコントローラ２０の接続プラグ２６から抜いて、アンテナモジュール１０とリーダーコントローラ２０とを分離し洗浄、消毒を行うことが出来るので、扱いが便利である。
【００１１】
図５は図１の動物用ＩＣタグリーダーライター装置のリーダーコントローラ２０とイヤホン３０との間をケーブルで接続する構成を説明するための図を示す。
図５において図１と同一の部分には同一の符号をつけてその説明を省略する。
５１は、ケーブル５０の接続プラグである。
リーダーコントローラ２０の側面に設けられたイヤホン３０の接続プラグ２７にイヤホン３０のケーブル５０の接続プラグ５１を挿入することにより、イヤホン３０とリーダーコントローラ２０がケーブル５０により接続されるように構成されている。
リーダーコントローラ２０の、ＩＣタグのデータの読取の状態を示す異なった音色の音をイヤホン３０で聞くことにより、騒音中でもＩＣタグのデータの読取や判別の操作が容易になる。
【００１２】
上記のような部材により構成された本発明の動物用ＩＣタグリーダーライター装置の使用方法について以下に説明する。
本発明のＩＣタグリーダーライター装置の使用にあたっては、あらかじめリーダーコントローラ２０を接続プラグ２６にパソコン等のホストコンピュータを接続して必要なデータの取り込みを済ませておく。
この後、リーダーコントローラ２０の接続プラグ２６にアンテナモジュール１０を接続して図１に示したＩＣタグリーダーライター装置を構成する。
牛、豚等の動物に装着された動物用ＩＣタグにデータの書込と読出を行う場合には、動物の柵の中に入ることが必要であるが、柵の中に入ると動物が逃げることが多いが、動物は青色の光に寄ってくる習性があるので、アンテナモジュール１０の先端の青色のランプ１３を点灯することによりデータの書込と読出を行う動物を容易に呼び寄せることが出来る。又、動物が近寄りすぎてデータの書込と読出が行いにくくなった時には、アンテナモジュール１０の先端のアンテナ１１の鋭角部１２により、動物の鼻などを突くことにより追い払うことにより必要以上に近よらないようにすることが出来る。
動物用ＩＣタグにデータの書込と読出を行う場合には、アンテナモジュール１０の先端のアンテナ１１を動物のＩＣタグに近ずけておいて、リーダーコントローラ２０により書込と読出の操作を行う。
書込と読出のデータは履歴管理に必要な投薬、移動等のファンクションキー２３.２４.２５により容易に設定出来、リーダーコントローラ２０の、ＬＣＤ表示器２１に表示される。
【００１３】
図７は、リーダーコントローラ２０のファンクションキー２３.２４.２５により設定されるデータのＬＣＤ表示器２１に表示される画面の遷移の状態を示したものである。
図７に示すように、移動、投薬、えさ、誕生/死亡等のファンクションキー２３.２４.２５により、書込と読出のデータの種類を選定して移動キーと決定キーによりデータの値を選択して決定することによりコンピュータの知識の無い人でも、容易に迅速に書込と読出のデータの設定を行うことが出来るので動物用ＩＣタグのデータの読取と書込の操作を容易に行うことが出来る。
【００１４】
これにより、動物に装着された動物用ＩＣタグには、その動物の畜産動物個別のＤＮＡ、生産地、出生日、管理者、給餌、病歴、投薬等の生産情報や畜産動物の流通に関する履歴等の各種データの書込、読出が行うことができるので、動物用ＩＣタグの各種の情報を情報管理コンピュータに入力し管理することが可能になる。
本発明のＩＣタグリーダーライター装置を使用することにより、出生日、管理者、給餌、病歴、投薬等の情報を一頭単位に、その都度入力することが容易になり、さらに、登録、移動、死亡、出荷等の移動実績もタイムリーに管理できるので、生産・流通履歴を消費者まで届けることが可能となる。
【産業上の利用可能性】
【００１５】
本発明は畜産動物を育成、流通する各種の産業で利用可能である。
【図面の簡単な説明】
【００１６】
【図１】本発明のＩＣタグリーダーライター装置の構成を説明するための図である。
【図２】図１の動物用ＩＣタグリーダーライター装置のアンテナモジュール１０の具体的な構成を説明するための図である。
【図３】図１の動物用ＩＣタグリーダーライター装置のリーダーコントローラ２０の具体的な構成を説明するための図である。
【図４】図１のＩＣタグリーダーライター装置のアンテナモジュール１０とリーダーコントローラ２０との間をケーブルで接続する構成を説明するための図を示す。
【図５】図１の動物用ＩＣタグリーダーライター装置のリーダーコントローラ２０とイヤホン３０との間をケーブルケーブルで接続する構成を説明するための図を示す。
【図６】動物の履歴管理に必要な投薬、移動等のファンクションキー２３.２４.２５等の機能を示した表。
【図７】リーダーコントローラ２０のファンクションキー２３.２４.２５により設定されるデータのＬＣＤ表示器２１に表示される画面の遷移の状態を示した表。
【符号の説明】
【００１７】
１０・・・アンテナモジュール
１１・・・ＩＣタグとの通信を行うアンテナ
１２・・・アンテナ１１に設けられた鋭角部
１３・・・アンテナ先端部に設けられた青色のランプ
１４・・・アンテナモジュール１０の他端に設けられた電源部
１５・・・電源スイッチ
１６・・・アンテナモジュール１０を携帯するときに使用する紐
２０・・・リーダーコントローラ
２１・・・ＬＣＤ表示器
２２・・・テンキー
２３.２４.２５・・・ファンクションキー
２６・・・リーダーコントローラ２０のＲＳ２３２Ｃ通信用接続プラグ
２７・・・リーダーコントローラ２０のイヤホン３０の接続プラグ
３０・・・イヤホン
４０・・・アンテナモジュール１０とリーダーコントローラ２０との間を接続する通信ケーブル
４１・・・通信ケーブル４０の接続プラグ
５０・・・リーダーコントローラ２０とイヤホン３０との間をケーブル
５１・・・ケーブル５０の接続プラグ
【図１】
2007025780.tif 000003
【図２】
2007025780.tif 000004
【図３】
2007025780.tif 000005
【図４】
2007025780.tif 000006
【図５】
2007025780.tif 000007
【図６】
2007025780.tif 000008
【図７】
2007025780.tif 000009